(57)【特許請求の範囲】
【請求項１】
利用者情報を格納した利用者情報記録媒体が着脱可能な情報通信端末であって、コンテンツと各コンテンツ対応の利用者情報，有効期限とが登録された記憶部と、利用者からのコンテンツ削除要求時に現在日時を取得してコンテンツの有効期限内かを照合し、有効期限を過ぎていた場合にはコンテンツを削除し、有効期限内であった場合には装着されている前記利用者情報記録媒体から取得した利用者情報と前記記憶部に登録された利用者情報とを照合し一致した場合にコンテンツを削除する制御部とを有することを特徴とする情報通信端末。
【請求項２】
前記制御部は、利用者からのコンテンツ削除要求時に現在日時を取得できなかった場合、コンテンツの削除を禁止することを特徴とする請求項１記載の情報通信端末。
【請求項３】
前記制御部は、利用者からコンテンツ利用要求がある度に現在日時を取得してコンテンツの有効期限内かを照合し、有効期限が過ぎていた場合は無効情報をコンテンツに対応付けて前記記憶部に登録しておき、利用者からのコンテンツ削除要求時に現在日時を取得できなかった場合、前記記憶部に無効情報が登録されたコンテンツかを照合し、無効情報が登録されていた場合は有効期限を過ぎたコンテンツ、無効情報が登録されていなかった場合は有効期限内のコンテンツと判定することを特徴とする請求項１記載の情報通信端末。
【請求項４】
前記記憶部に登録されたコンテンツ対応の利用者情報は、外部装置からのコンテンツダウンロード時に装着されていた前記利用者情報記録媒体から取得した利用者情報を、また、前記記憶部に登録されたコンテンツ対応の有効期限は、前記外部装置からのコンテンツダウンロード時にコンテンツから取得した有効期限を、それぞれ前記制御部が登録したものであることを特徴とする請求項１，２または３記載の情報通信端末。
【請求項５】
前記記憶部は着脱可能な記録媒体であることを特徴とする請求項１，２，３または４記載の情報通信端末。
【請求項６】
コンテンツと各コンテンツ対応の利用者情報，有効期限とを記憶部に登録するステップと、利用者からのコンテンツ削除要求時に現在日時を取得してコンテンツの有効期限内かを照合するステップと、有効期限を過ぎていた場合にはコンテンツを削除するステップと、有効期限内であった場合には装着されている利用者情報記録媒体から取得した利用者情報と前記記憶部に登録された利用者情報とを照合し一致した場合にコンテンツを削除するステップとを有することを特徴とする情報通信端末におけるコンテンツ処理方法。
【請求項７】
コンテンツと各コンテンツ対応の利用者情報，有効期限とを記憶部に登録するステップと、利用者からコンテンツ利用要求がある度に現在日時を取得してコンテンツの有効期限内かを照合するステップと、有効期限が過ぎていた場合は無効情報をコンテンツに対応付けて前記記憶部に登録しておくステップと、利用者からのコンテンツ削除要求時に現在日時を取得してコンテンツの有効期限内かを照合するステップと、現在日時を取得できなかった場合には前記記憶部に無効情報が登録されたコンテンツかを照合し、無効情報が登録されていた場合は有効期限を過ぎたコンテンツ、無効情報が登録されていなかった場合は有効期限内のコンテンツと判定するステップと、有効期限を過ぎていた場合にはコンテンツを削除するステップと、有効期限内であった場合には装着されている利用者情報記録媒体から取得した利用者情報と前記記憶部に登録された利用者情報とを照合し一致した場合にコンテンツを削除するステップとを有することを特徴とする情報通信端末におけるコンテンツ処理方法。
【発明の詳細な説明】
【技術分野】
【０００１】
本発明は、外部装置から取得したコンテンツを携帯電話機等の情報通信端末で利用する場合の情報通信端末及び情報通信端末におけるコンテンツ処理方法に関するものである。
【背景技術】
【０００２】
携帯電話機等の情報通信端末におけるコンテンツ処理方法に関する関連技術は、例えば、特開２００４−１４７１８９号公報（特許文献１）に開示されている。
この特許文献１においては、
・情報提供サイトからダウンロードしたコンテンツ（画像，音声，プログラム等）を、携帯電話機に装着されているＵＳＩＭ(Universal Subscriber Identity Module)の利用者情報と対応付けて携帯電話機の内部メモリやメモリカードに保存しておき、
・利用者が特定のコンテンツを選択して表示等を指示すると、携帯電話機に装着されているＵＳＩＭから読み出した利用者情報と、選択されたコンテンツに対応付けられている利用者情報とが一致するかを照合し、
・一致した場合は選択されたコンテンツの表示等を行い、一致しなかった場合は表示等を禁止する、
ことが記載されている。
【０００３】
【特許文献１】特開２００４−１４７１８９号公報（段落「００１９」〜「００２１」、図１〜図３）
【発明の開示】
【発明が解決しようとする課題】
【０００４】
上述した特許文献１においては、特定の利用者に限定してコンテンツを表示させる制御は行っているが、保存されたコンテンツを削除する場合の制御に関しては何ら考慮されていない。例えば、有効期限付きのコンテンツの場合、有効期限を過ぎたコンテンツは利用できないため不要であり、メモリ容量の節約の点からも削除されても問題はない。しかし、有効期限前のコンテンツは権限のある利用者が使用する可能性があるため、権限の無い利用者に勝手に削除されてしまうことは防止しなければならない。
【０００５】
本発明の目的は、以上の課題を解決する情報通信端末及び情報通信端末におけるコンテンツ処理方法を提供することにある。
【課題を解決するための手段】
【０００６】
本発明の情報通信端末は、利用者情報を格納した利用者情報記録媒体が着脱可能な情報通信端末であって、コンテンツと各コンテンツ対応の利用者情報，有効期限とが登録された記憶部と、利用者からのコンテンツ削除要求時に現在日時を取得してコンテンツの有効期限内かを照合し、有効期限を過ぎていた場合にはコンテンツを削除し、有効期限内であった場合には装着されている前記利用者情報記録媒体から取得した利用者情報と前記記憶部に登録された利用者情報とを照合し一致した場合にコンテンツを削除する制御部とを有する。
【０００７】
本発明の情報通信端末におけるコンテンツ処理方法は、コンテンツと各コンテンツ対応の利用者情報，有効期限とを記憶部に登録するステップと、利用者からのコンテンツ削除要求時に現在日時を取得してコンテンツの有効期限内かを照合するステップと、有効期限を過ぎていた場合にはコンテンツを削除するステップと、有効期限内であった場合には装着されている利用者情報記録媒体から取得した利用者情報と前記記憶部に登録された利用者情報とを照合し一致した場合にコンテンツを削除するステップとを有することを特徴とする。
【発明の効果】
【０００８】
本発明によれば、有効期限内のコンテンツを利用権限の無い利用者から削除されるのを防止できるという効果が得られる。
【発明を実施するための最良の形態】
【０００９】
本発明の実施の形態について図面を参照して詳細に説明する。
【００１０】
図１は、本発明の第１の実施の形態の構成を示す図である。図１を参照すると、本発明の携帯電話機１０は、アンテナ１１と、無線部１２と、操作部１３と、表示部１４と、記憶部１５と、制御部１６とを備えており、ＵＳＩＭ２０は携帯電話機１０に装着されて使用される。なお、本発明は携帯電話機１０に限定されるものではなく、コンテンツの表示，再生等を行う情報通信端末に適用可能である。ここでいう情報通信端末とは、携帯電話機１０，ＰＨＳ(Personal Handyphone System)，ＰＤＡ(Personal Digital Assistance)
等の携帯端末の他に、自動車電話の電話機，携帯電話モジュールを付加したパーソナルコンピュータ等を含んでいる。パーソナルコンピュータは、ＵＳＩＭ２０に相当する利用者情報記録媒体を着脱できる部分を本体または別体の装置で構成するようにしてもよい。本実施の形態においては、情報通信端末として携帯電話機１０を用いた場合を例に説明する。
【００１１】
無線部１２は図示しない基地局との間でアンテナ１１を介して無線信号の送受信を行う通信装置であり、操作部１３はテンキー，機能キー，ポインティングデバイス等の入力装置であり、表示部１４はＬＣＤ(Liquid Crystal Display)等の表示装置である。記憶部１５は読み出し，書き込み，消去が可能な記憶装置であり、コンテンツ管理データベース１５１と、コンテンツ格納領域１５２とを含んでいる。コンテンツ管理データベース１５１には、図２（本発明の第１の実施の形態におけるコンテンツ管理データベース１５１に格納されるデータの一例を示す図）に示すように、コンテンツのファイル名，利用者情報，有効期限がコンテンツ毎に登録されている。なお、利用者情報とはＵＳＩＭ２０に記録されている電話番号等の利用者を識別するための情報であり、この利用者情報が登録された利用者（権限のある利用者）は、コンテンツを表示，再生したり、コンテンツを削除することを許可される。利用者コンテンツ格納領域１５２には、外部装置からダウンロードしたコンテンツが保存されている。制御部１６はＣＰＵ(Central Processing Unit)等の制
御装置であり、プログラムにより動作を制御される。
この制御部１６は、
・図示しない情報提供サイトにアクセスし、コンテンツをダウンロードする機能と、
・コンテンツのダウンロード時に、ＵＳＩＭ２０から取得した利用者情報と、コンテンツから取得した有効期限とをコンテンツ名に対応付けてコンテンツ管理データベース１５１に登録する機能と、
・利用者によるコンテンツ削除操作が行われたときに現在日時を取得してコンテンツが有効期限内かを照合し、有効期限を過ぎていた場合にはコンテンツを削除する機能と、
・コンテンツが有効期限内であった場合に、ＵＳＩＭ２０から利用者情報を取得してコンテンツ対応に登録された利用者情報と一致するかを照合し、一致した場合にコンテンツを削除する機能と、
を備えている。
【００１２】
ＵＳＩＭ２０は、携帯電話機１０に着脱可能なＩＣカード等の利用者情報記録媒体であり、電話番号，加入者ＩＤや契約している携帯電話事業者の情報等が格納されている。
【００１３】
次に、本発明の一実施の形態の動作について図１〜図４を参照して説明する。なお、図３は本発明の第１の実施の形態におけるコンテンツ管理情報登録時の動作を示すフローチャートであり、図４は本発明の第１の実施の形態におけるコンテンツ削除時の動作を示すフローチャートである。
【００１４】
最初に、コンテンツ管理情報登録時の動作について説明する。
【００１５】
図３を参照すると、まず、利用者は携帯電話機１０から図示しない情報提供サイトにアクセスし、画像，音声，プログラム等の希望するコンテンツをダウンロードする。このとき、ダウンロードされたコンテンツは制御部１６により記憶部１５のコンテンツ格納領域１５２に格納される（ステップＡ１）。次に、制御部１６は、携帯電話機１０に装着されているＵＳＩＭ２０から利用者情報（例えば、電話番号）を取得するとともに（ステップＡ２）、ダウンロードしたコンテンツまたはコンテンツに添付された管理ファイル等から有効期限やコンテンツ名を取得する（ステップＡ３）。そして、制御部１６は、取得したコンテンツ名，利用者情報，有効期限等のコンテンツ管理情報を対応付けてコンテンツ管理データベース１５１に登録する（ステップＡ４）。
【００１６】
次に、コンテンツ削除時の動作について説明する。
【００１７】
図４を参照すると、利用者は携帯電話機１０において特定のコンテンツを操作部１３から選択して削除を指示すると（ステップＢ１）、制御部１６は図示しないタイムサーバ等の時刻情報提供装置にアクセスし、現在日時情報を取得する（ステップＢ２）。ここで、図示しない基地局やインターネット等に接続できなかった等の理由で現在日時情報が取得できなかった場合は、制御部１６は現在日時取得失敗のため削除できない旨のメッセージを表示部１４に表示し、コンテンツの削除は行わない（ステップＢ３→ステップＢ７）。
【００１８】
現在日時情報が取得できた場合は、制御部１６は利用者から削除要求されたコンテンツの有効期限をコンテンツ管理データベース１５１から取得し、現在日時がコンテンツの有効期限内かを判定する（ステップＢ３→ステップＢ４）。有効期限を過ぎていた場合は、制御部１６はコンテンツ格納領域１５２に格納されている該当コンテンツを削除するとともに、コンテンツ管理データベース１５１から該当コンテンツのデータを削除する（ステップＢ４→ステップＢ８）。
【００１９】
現在日時がコンテンツの有効期限内であった場合は、制御部１６は携帯電話機１０に装着されているＵＳＩＭ２０から利用者情報を取得する（ステップＢ４→ステップＢ５）。そして、制御部１６は、ＵＳＩＭ２０から取得した利用者情報と、コンテンツ管理データベース１５１に登録された該当コンテンツの利用者情報とが一致するかを照合する（ステップＢ６）。ステップＢ６において、利用者情報が一致しなかった場合は、制御部１６は利用者が異なるため削除できない旨のメッセージを表示部１４に表示し、コンテンツの削除は行わない（ステップＢ７）。ステップＢ６において、利用者情報が一致した場合は、制御部１６はコンテンツ格納領域１５２に格納されている該当コンテンツを削除するとともに、コンテンツ管理データベース１５１から該当コンテンツのデータを削除する（ステップＢ８）。
【００２０】
以上説明したように、本実施の形態においては、コンテンツ毎に利用可能な利用者と有効期限とを予めコンテンツ管理データベース１５１に登録している。そして、コンテンツの削除要求があった場合に、コンテンツの有効期限が過ぎていれば無条件に（利用者に関係なく）削除し、有効期限内であれば利用可能な利用者からの削除要求の場合にのみ削除するようにしている。これにより、有効期限内のコンテンツを利用権限の無い利用者から削除されるのを防止できるという効果が得られる。
【００２１】
次に、本発明の第２の実施の形態について説明する。
【００２２】
上述した第１の実施の形態においては、利用者からコンテンツの削除要求があったときに、現在日時が取得できなかった場合はコンテンツの削除は行わずに処理を終了するとして説明した。これに対し、本実施の形態においては、削除要求時に現在日時が取得できなかった場合でも、コンテンツ削除可否の判断を可能にした点が異なる。
【００２３】
本実施の形態の構成は第１の実施の形態の構成（図１）と同じであるが、コンテンツ管理データベース１５１に含まれるデータが異なっている。詳細には、図５（本発明の第２の実施の形態におけるコンテンツ管理データベース１５１に格納されるデータの一例を示す図）に示すように、一実施の形態に比べ、「有効・無効情報」が追加されている。この「有効・無効情報」は、ダウンロードしたコンテンツのコンテンツ名，利用者情報，有効期限をコンテンツ管理データベース１５１に登録するとき（図３のステップＡ４参照）に、有効と登録される。そして、後述するように、その後の利用要求の度にコンテンツの有効期限が確認され、有効期限内の場合は該当コンテンツの有効・無効情報は有効のままとし、有効期限が過ぎていた場合は有効・無効情報が有効から無効に更新される。
【００２４】
次に、本発明の第２の実施の形態の動作について図５〜図７を参照して説明する。なお、図６は本発明の第２の実施の形態におけるコンテンツ利用時の動作を示すフローチャートであり、図７は本発明の第２の実施の形態におけるコンテンツ削除時の動作を示すフローチャートである。
【００２５】
最初に、コンテンツ利用時の動作について説明する。
【００２６】
図６を参照すると、利用者は携帯電話機１０において特定のコンテンツを操作部１３から選択し利用（表示，再生）要求すると（ステップＣ１）、制御部１６は図示しないタイムサーバ等の時刻情報提供装置にアクセスし、現在日時情報を取得する（ステップＣ２）。ここで、図示しない基地局やインターネット等に接続できなかった等の理由で現在日時情報が取得できなかった場合は、制御部１６は現在日時取得失敗のため利用できない旨のメッセージを表示部１４に表示し、コンテンツの表示や再生は行わない（ステップＣ３→ステップＣ４）。
【００２７】
現在日時情報が取得できた場合は、制御部１６は利用者から利用要求されたコンテンツの有効期限をコンテンツ管理データベース１５１から取得し、現在日時がコンテンツの有効期限内かを判定する（ステップＣ３→ステップＣ５）。
【００２８】
現在日時がコンテンツの有効期限内であった場合は、制御部１６は携帯電話機１０に装着されているＵＳＩＭ２０から利用者情報を取得する（ステップＣ５→ステップＣ６）。そして、制御部１６は、ＵＳＩＭ２０から取得した利用者情報と、コンテンツ管理データベース１５１に登録された該当コンテンツの利用者情報とが一致するかを照合する（ステップＣ７）。ステップＣ７において、利用者情報が一致しなかった場合は、制御部１６は利用者が異なるため利用できない旨のメッセージを表示部１４に表示し、コンテンツの表示や再生は行わない（ステップＣ７→ステップＣ４）。ステップＣ７において、利用者情報が一致した場合は、制御部１６は該当コンテンツの表示や再生を行う（ステップＣ７→ステップＣ８）。
【００２９】
一方、ステップＣ５において、有効期限を過ぎていた場合は、制御部１６はコンテンツ管理データベース１５１の該当コンテンツの有効・無効情報を無効に更新する（図５参照）。併せて、制御部１６は有効期限切れのため利用できない旨のメッセージを表示部１４に表示し、コンテンツの表示や再生は行わない（ステップＣ５→ステップＣ９）。
【００３０】
次に、コンテンツ削除時の動作について説明する。
【００３１】
図７を参照すると、利用者は携帯電話機１０において特定のコンテンツを操作部１３から選択して削除を指示すると（ステップＤ１）、制御部１６は図示しないタイムサーバ等の時刻情報提供装置にアクセスし、現在日時情報を取得する（ステップＤ２）。ここで、図示しない基地局やインターネット等に接続できなかった等の理由で現在日時情報が取得できなかった場合は、制御部１６はコンテンツ管理データベース１５１を参照し、該当コンテンツの有効・無効情報が有効か無効かを判別する（ステップＤ３→ステップＤ４）。そして、ステップＤ４において、有効・無効情報が無効の場合は、制御部１６はコンテンツ格納領域１５２に格納されている該当コンテンツを削除するとともに、コンテンツ管理データベース１５１から該当コンテンツのデータを削除する（ステップＤ４→ステップＤ９）。また、ステップＤ４において、有効・無効情報が有効の場合はステップＤ６に進む。
【００３２】
一方、ステップＤ３において、現在日時情報が取得できた場合は、制御部１６は利用者から削除要求されたコンテンツの有効期限をコンテンツ管理データベース１５１から取得し、現在日時がコンテンツの有効期限内かを判定する（ステップＤ３→ステップＤ５）。有効期限を過ぎていた場合は、制御部１６はコンテンツ格納領域１５２に格納されている該当コンテンツを削除するとともに、コンテンツ管理データベース１５１から該当コンテンツのデータを削除する（ステップＤ５→ステップＤ９）。
【００３３】
ステップＤ５において現在日時がコンテンツの有効期限内であった場合、または、ステップＤ４において有効・無効情報が有効の場合は、制御部１６は携帯電話機１０に装着されているＵＳＩＭ２０から利用者情報を取得する（ステップＤ４，Ｄ５→ステップＤ６）。そして、制御部１６は、ＵＳＩＭ２０から取得した利用者情報と、コンテンツ管理データベース１５１に登録された該当コンテンツの利用者情報とが一致するかを照合する（ステップＤ７）。ステップＤ７において、利用者情報が一致しなかった場合は、制御部１６は利用者が異なるため削除できない旨のメッセージを表示部１４に表示し、コンテンツの削除は行わない（ステップＤ８）。ステップＤ７において、利用者情報が一致した場合は、制御部１６はコンテンツ格納領域１５２に格納されている該当コンテンツを削除するとともに、コンテンツ管理データベース１５１から該当コンテンツのデータを削除する（ステップＤ９）。
【００３４】
以上説明したように、本実施の形態においては、コンテンツの利用要求時にコンテンツが有効期限内であった場合は、コンテンツの有効・無効情報を有効のままとし、有効期限切れであった場合は、有効・無効情報を有効から無効に更新するようにしている。そして、コンテンツ削除要求時に現在日時が取得できなかった場合、すなわち、コンテンツが有効期限内か否かを判断できない場合に、該当コンテンツの有効・無効情報を参照することにより直近の利用時において有効期限内だったか否か知ることができる。例えば、有効・無効情報が無効になっていた場合は、直近の利用時に既に有効期限切れとなっていたことから削除可能と判断でき、コンテンツの削除が可能になる。このように、本実施の形態においては、第１の実施の形態に比べ、コンテンツ削除要求時に現在日時が取得できなかった場合でもコンテンツ削除の可否が判断できるという、さらなる効果が得られる。
【００３５】
次に、本発明の第３の実施の形態について説明する。
【００３６】
上述した第１または第２の実施の形態においては、コンテンツ管理データベース１５１やコンテンツ格納領域１５２を携帯電話機１０の記憶部１５（内部メモリ）に格納するとして説明した。これに対し、本実施の形態においては、記憶部１５を外部のメモリカード３０に置き換えた点が異なっている。
【００３７】
図８は本発明の第３の実施の形態の構成を示す図であり、図１（第１の実施の形態の構成図）に比べ、記憶部１５を削除し、メモリカード３０を追加した点が異なっている。携帯電話機１０に着脱可能なメモリカード３０は、読み出し，書き込み，消去が可能な記録媒体であり、コンテンツ管理データベース３１とコンテンツ格納領域３２とを含んでいる。なお、コンテンツ管理データベース３１，コンテンツ格納領域３２については、第１または第２の実施の形態で説明したコンテンツ管理データベース１５１，コンテンツ格納領域１５２と同じであるため、説明を省略する。また、本実施の形態の動作についても、記憶部１５がメモリカード３０に置き換わる以外は第１または第２の実施の形態の動作と同じであるため、説明を省略する。
【００３８】
以上説明したように、本実施の形態においては、コンテンツ管理データベース３１やコンテンツ格納領域３２を外部のメモリカード３０に備えるようにした場合でも、本発明が適用できるという効果が得られる。
【００３９】
次に、本発明の応用例，変形例等について説明する。
【００４０】
・上述した第１〜第３の実施の形態においては、タイムサーバ等の時刻情報提供装置にアクセスして現在日時情報を取得するとして説明したが、携帯電話機１０内部の時計部から現在日時情報を取得するようにしてもよい。但し、この場合は、利用者により時計部の日時が不正に修正された場合の補正データを管理しておく。例えば、コンテンツ有効期限の判定を誤らせるために利用者が時計部の日時情報を故意に修正した場合（例えば、修正時間が所定時間以上であった場合）、制御部１６は修正時間情報を記憶部１５に登録しておく。そして、現在日時情報取得時に、制御部１６は時計部から日時情報を取得し、取得した日時情報を記憶部１５に登録された修正時間情報で補正した日時を現在日時として取得することになる。
【００４１】
・上述した第１〜第３の実施の形態においては、特定のコンテンツを選択して削除する例を説明したが、複数のコンテンツを一括削除することも可能である。この場合、利用者は操作部１３から一括削除メニューを選択し、制御部１６は図４のステップＢ２〜ステップＢ８の動作、または、図７のステップＤ２〜ステップＤ９の動作を各コンテンツ対応に繰り返すことになる。
【図面の簡単な説明】
【００４２】
【図１】本発明の第１の実施の形態の構成を示す図である。
【図２】本発明の第１の実施の形態におけるコンテンツ管理データベース１５１に格納されるデータの一例を示す図である。
【図３】本発明の第１の実施の形態におけるコンテンツ管理情報登録時の動作を示すフローチャートである。
【図４】本発明の第１の実施の形態におけるコンテンツ削除時の動作を示すフローチャートである。
【図５】本発明の第２の実施の形態におけるコンテンツ管理データベース１５１に格納されるデータの一例を示す図である。
【図６】本発明の第２の実施の形態におけるコンテンツ利用時の動作を示すフローチャートである。
【図７】本発明の第２の実施の形態におけるコンテンツ削除時の動作を示すフローチャートである。
【図８】本発明の第３の実施の形態の構成を示す図である。
【符号の説明】
【００４３】
１０    携帯電話機
１１    アンテナ
１２    無線部
１３    操作部
１４    表示部
１５    記憶部
１５１    コンテンツ管理データベース
１５２    コンテンツ格納領域
１６    制御部
２０    ＵＳＩＭ
３０    メモリカード
３１    コンテンツ管理データベース
３２    コンテンツ格納領域
【図１】
0004935574.tif 000002
【図２】
0004935574.tif 000003
【図３】
0004935574.tif 000004
【図４】
0004935574.tif 000005
【図５】
0004935574.tif 000006
【図６】
0004935574.tif 000007
【図７】
0004935574.tif 000008
【図８】
0004935574.tif 000009